(57)【特許請求の範囲】
【請求項１】
少なくとも部分的に回転駆動するドリル工具（２）用の手工具装置であり、
基準面（１０）に対する距離に関連する測定値（Ｍ）を測定する非接触測距センサ（４）と、該測定値（Ｍ）から有底孔内にあるドリル工具先端（８）の深さ（Ｔ）を算出するため、および該測定値（Ｍ）が設定値（Ｓ）に到達したという信号を出すための計算ユニット（５）と、を有する電子式深さゲージを具える手工具装置において、
手工具装置のグリップ部の押し込み作動型の動力スイッチ（１１）に設けられた片手操作可能な設定手段により、前記設定値（Ｓ）が設定値記憶装置（６）に転送され、
前記設定手段が、バネで付勢された転送ボタン（１２）として設けられ、
前記バネで付勢された転送ボタン（１２）が、より強くバネで付勢された、手工具装置の動力スイッチ（１１）およびタイマ（７）と組み合わされていることを特徴とする手工具装置。
【請求項２】
請求項１に記載の手工具装置において、前記手工具装置が音響的および／または光学的アラーム（１３）を具えることを特徴とする手工具装置。
【請求項３】
請求項１または２に記載の手工具装置において、前記手工具装置上に数値ディスプレイ（１５）が視認可能に配置されていることを特徴とする手工具装置。
【請求項４】
請求項１〜３のいずれか一項記載の手工具装置において、前記手工具装置が、データ通信インターフェイス（１６）を具え、該データ通信インターフェイス（１６）が、通信到達距離内にある、有底孔内に収容されるべき固定手段（１８）から該固定手段（１８）の設置深さ（Ｕ）を計算ユニット（５）に転送し、さらに通信到達距離内にある工具から工具長さを計算ユニット（５）に転送することを特徴とする手工具装置。
【発明の詳細な説明】
【０００１】
【発明の属する技術分野】
本発明は、電子式深さゲージを有する、ドリル装置またはハンマドリル等の少なくとも部分的に回転する手工具装置に関するものである。
【０００２】
【従来の技術】
工具先端が目標深度に到達した時点で、更なる切削を阻止するための深さゲージは、所定の深さの有底孔を作るのに好適である。アンダカットアンカの設置の際、有底孔の深さをアンカに合わせるので、特に建設現場において高荷重用のアンカを設置する場合に、既定の有底孔深さを遵守することが重要である。
【０００３】
ドイツ国特許第３２１４１８２号は、加工物との接触により、工具がさらに侵入することを防止するハンマドリル用の棒状深さゲージを記載している。特開昭６２−１８８６１２号は、設定棒により所定の測定値で容易に停止可能な棒状深さゲージを記載している。ドイツ国特許第３９１２９９１号は、設定値に到達すると駆動電流回路を遮断する、弾性的に付勢された、調節可能な棒状深さゲージを記載している。このような場所を取る機械式深さゲージは、しばしば使用の妨げとなり、したがって建設現場には不適当である。
【０００４】
ドイツ国特許第２８３８９６８号は、超音波、高周波または光センサを用いた測定手段を具えた電子式深さゲージを記載している。この測定手段は、工具表面と、センサを設置した手工具装置との間の距離を測定して、深さを計算する。目標深度に到達すると、計算手段が駆動電流回路を遮断する。
【０００５】
ドイツ国特許第２８５５２１７号は、ポテンシオメータにより電子式深さゲージの設定値を直接的に調整することを記載している。工具先端により有底孔の深さが目標値に到達したことは、例えば光学的または音響的アラームにより視覚的または聴覚的に合図される。設定値を直接的に調整することは、短時間の操作であるので、建設現場においては間違いを犯しやすい。
【０００６】
欧州特許第０６５９５２５号（特開平７−１７８６７８号）は、トルク制御用マイクロプロセッサと、数字と記号による計器および入力用の２つの大きな上下ボタンを表示したディスプレイとを具えるハンマドリルを記載している。
【０００７】
【発明が解決しようとする課題】
本発明の課題は、有底孔深さの設定値の入力が建設作業現場においても容易な電子式深さゲージを有する手工具装置を提供することである。
【０００８】
【課題を解決するための手段】
前記の課題は、基本的に独立請求項に記載された本発明の特徴により解決される。本発明の有利な実施形態は、従属請求項に記載したとおりである。
【０００９】
本発明による、少なくとも部分的に回転駆動するドリル工具用の手工具装置は、基本的に、非接触距離測定センサ、および基準面に対するドリル工具先端の深さを算出すると同時に測定値が設定値に到達したという信号を送る計算ユニットを有する電子式深さゲージを具える。ここで、設定値は、片手操作可能な設定手段により設定値記憶装置に転送される。
【００１０】
本発明によれば、設定値の転送を行う設定手段の操作が容易であるので、建設作業現場においても設定値を正確かつ容易に入力することが可能となる。これは、基準有底孔の測定値を、後に続く孔の設定値として転送することにより、または、有底孔内に収容されるべき固定手段を直接的に考慮することにより、通常行われる。後者の場合には、例えば、工具先端と並べて基準面上に置かれた固定手段に長さ測定用測定ビームを向けることにより測定する。
【００１１】
設定手段としてはバネで圧力を付勢した転送ボタンが好適であり、保護手袋を装着した作業には表面積の大きな形態がさらに好適である。これにより、直感的に操作可能な切替手段が、技術的に容易に実現可能となる。
【００１２】
バネで圧力を付勢した転送ボタンを、より強いバネで付勢した、グリップ部にある手工具装置の動力スイッチおよびタイマと組み合わせると好適である。これにより、使用者がより認知しやすい作用点が構成されるので、転送ボタンの操作により、最小時間内で測定値記憶装置に転送を行う。
【００１３】
手工具装置が、警報機または発光ダイオード等の単純な音響的および／または光学的アラームを具えると好ましい。これにより、設定値を転送したこと、および測定値が設定値に到達したことを聴覚的および／または視覚的に合図する。
【００１４】
設定手段に、組み込まれた設定値に対して転送された測定値を増加または減少させる方向に、漸次的に修正するための、片手操作可能な修正操作手段を関連させて配置することが好ましい。これにより、単純で直感的な修正が可能となる。
【００１５】
少なくとも一時的に設定値を数値で表示する数値ディスプレイが、手工具装置上に視認可能に配置されていると好適である。
【００１６】
手工具装置が、例えば、トランスポンダ送信機／受信機またはレーザースキャナー等のデータ通信インターフェイスを具えると好適である。通信到達距離内にある固定手段もしくはその包装、またはいわゆる携帯装置（ハンディ）等の特殊な器具から手工具装置のデータ通信インターフェイスへ伝達された設置深さを、操作手段を操作した際に、基準面上に置いた工具先端の測定値から設定値を減ずる計算において考慮する。
【００１７】
さらに追加的に工具から転送された工具長さを設定値の計算に用いることが好ましく、この場合には、その工具長さから転送された設置深さの設定値を減ずる計算により求める。
【００１８】
【発明の実施の形態】
本発明による電子式深さゲージ付き手工具装置の概略を示した図１を参照しつつ、本発明の好適な実施態様をより詳細に説明する。
【００１９】
図１において、手工具装置１は、少なくとも部分的に回転駆動するドリル工具２用のハンマドリルとして構成されており、電子式深さゲージ３、経過時間感応性レーザー測距システムであるセンサ４、設定値Ｓ用の設定値記憶装置６を有し、かつマイクロプロセッサを具えた計算ユニット５、および約１秒の持続時間で作用点を操作して設定値記憶装置に転送するためのタイマ７を具える。有底孔９内のドリル工具先端８の瞬時深さＴを間接的に決める測定値Ｍは、センサ４から基準面１０までの距離に関連して算出される。手工具装置１は、表面積の大きい転送ボタン１２を有する、押し込み作動型の動力スイッチ１１をグリップ部に具える。２つの異なる色の発光ダイオードを、測定値Ｍが設定値Ｓに到達したことを合図するためのアラーム１３として、視認可能に配置する。手工具装置１の上面には、上下ボタンとしての、表面積の大きな２つの修正操作手段１４ａ、１４ｂおよび数値ディスプレイ１５が視認可能に配置されている。手工具装置１にトランスポンダ送信機／受信機として設けられたデータ通信インターフェイス１６は、トランスポンダ１７および１７′と通信を行う。前者のトランスポンダ１７はドリル工具２内にあり、後者のトランスポンダ１７′は空間的に関連するアンカとして機能する点で、所定の関連する設置深さＵを有する固定手段１８内にある。
【図面の簡単な説明】
【図１】本発明による電子式深さゲージ付き手持工具の好適な実施形態を示す概略図である。
【符号の説明】
１    手工具装置
２    ドリル工具
３    電子式深さゲージ
４    センサ
５    計算ユニット
６    設定値記憶装置
７    タイマ
８    ドリル工具先端
９    有底孔
１０    基準面
１１    動力スイッチ
１２    転送ボタン
１３    アラーム
１４ａ、１４ｂ    修正操作手段
１５    数値ディスプレイ
１６    データ通信インターフェイス
１７    トランスポンダ
１８    固定手段
Ｍ    測定値
Ｓ    設定値
Ｔ    深さ
Ｕ    設置深さ
【図１】
0004578758.tif 000002